(57)【特許請求の範囲】
【請求項１】
写真プリント注文店に配置された写真プリント注文受付端末と写真プリント出力店に配置された写真プリント出力機とユーザ情報管理部とがデータ伝送可能に接続された写真プリントシステムにおいて、
前記写真プリント注文受付端末は、プリント出力する画像と写真プリント出力店とを含むプリント注文情報をディスプレイに表示させるプリント注文情報表示部と、当該プリント注文情報を入力するプリント注文情報入力部と、ユーザに割り当てられたユーザ識別情報を取得するユーザ識別情報取得部とを有し、
前記ユーザ情報管理部は、前記ユーザ識別情報と当該ユーザのプリント注文情報の履歴情報とを含むユーザ情報を格納するユーザ情報格納部と、前記写真プリント注文受付端末において取得されたユーザ識別情報と格納されたユーザ識別情報とを照合してユーザの識別を行うユーザ情報照合部とを有し、かつ、
前記プリント注文情報表示部は、前記識別されたユーザの前記履歴情報に基づき、選択対象となる写真プリント出力店として、前記プリント出力の注文を行ったことがある前記写真プリント注文受付端末が配置されている前記写真プリント注文店と前記プリント出力をしたことがある前記写真プリント出力店とを画面上に一覧表示する写真プリントシステム。
【請求項２】
前記プリント注文情報表示部は、前記識別されたユーザが注文受付・注文出力を行った店を履歴情報として前記ユーザ情報管理部から得て写真プリント出力店選択対象として一覧表示する請求項１に記載の写真プリントシステム。
【請求項３】
前記識別されたユーザが写真プリント出力店を探索することが予想される探索予想地域を前記履歴情報に含まれる写真プリント店の位置情報に基づいて導出するユーザ情報処理部を備え、
前記プリント注文情報表示部は、前記探索予想地域に位置する写真プリント店を写真プリント出力店選択対象として一覧表示する請求項１に記載の写真プリントシステム。
【発明の詳細な説明】
【技術分野】
【０００１】
本発明は、データ伝送可能に接続された写真プリント注文受付端末と写真プリント出力機とユーザ情報管理部とを備えた写真プリントシステムに関する。
【背景技術】
【０００２】
従来、上記のような写真プリントシステムにおいては、写真プリント注文受付端末でユーザが名前や住所、電話番号などを入力するとともに、プリント出力された撮影画像を受け取る写真プリント出力店（プリントラボ店など）についても入力し、プリント注文の依頼を行うようになっていた。
【０００３】
このうち、プリント注文の際の写真プリント場所を指示する一例として、特許文献１に記載のプリントサービスシステムが知られている。すなわち、ユーザから画像のプリント注文を受入し、このプリント注文に係る画像を媒体にプリント出力するプリントサービスシステムにおいて、有料道路、鉄道路線、バス路線、又は、航空路線等の路線が定められている特定の交通機関を使用する、又は、使用しているユーザからプリント注文に係る情報を受入する注文情報受入手段と、これらの交通機関を使用している、又は、使用したユーザが利用可能な場所に配置され、注文情報受入手段によって受入されたプリント注文に係る情報に基づいて、プリント注文に係る画像を媒体にプリント出力するプリント手段と、注文情報受入手段によって受入されたプリント注文に係る情報をプリント手段に転送する注文情報転送手段とを備えたシステムがある。
【０００４】
ここで、プリント手段が複数の場所に設置されている場合は、さらに、いずれか一のプリント手段が設置されている場所をプリント受取場所として特定するプリント受取場所特定手段が備えられる。具体的には、選択可能なプリント受取場所がユーザに提供され、これらの受取場所の中から一の場所を指定することにより、プリント受取場所を特定することができる。このような選択可能なプリント受取場所として、例えば、ユーザの移動経路に沿って配置されているプリント手段の場所のみを提供することができる。
【０００５】
【特許文献１】特開２００２−７５３３号公報（第〔０００７〕、〔０００８〕、〔００１２〕、〔００１５〕段落）
【発明の開示】
【発明が解決しようとする課題】
【０００６】
上述した特許文献１に記載のプリントサービスシステムにおいては、ユーザとして特に旅行者を想定しており、そのため有料道路、鉄道路線等の路線が定められている特定の交通機関を使用しているユーザなどが利用可能な場所をプリント受取場所として選択可能な構成となっている。しかしながら、プリント注文毎に（交通機関が変わる毎に）異なる複数のプリント受取場所から一のプリント受取場所を選択しなければならず、また、プリント注文の際には、ユーザの名前や連絡先なども入力しなければならず、ユーザにとって入力操作が十分簡素化されているとは言い難い。また、このようにユーザとして旅行者などを想定した場合、選択可能なプリント受取場所が特定の交通機関から利用可能な位置にある場所に限られるなど、一般のユーザにとっての利便性も問題となる。特に、一定の地域内で生活し活動しているユーザなどは、写真プリントの注文や受取はある程度特定された場所（店）で行うことが多く、このようなユーザにとって上記のような写真プリントシステムは入力操作の煩雑さや利便性の面で改善の余地がある。
【０００７】
本発明は、かかる問題点に着目してなされたものであり、その目的は、写真プリント注文の入力操作の簡素化を図るとともに、利便性の高い写真プリントシステムを提供することにある。
【課題を解決するための手段】
【０００８】
上記目的を達成するための本発明に係る写真プリントシステムの第一特徴構成は、写真プリント注文店に配置された写真プリント注文受付端末と写真プリント出力店に配置された写真プリント出力機とユーザ情報管理部とがデータ伝送可能に接続された写真プリントシステムにおいて、前記写真プリント注文受付端末は、プリント出力する画像と写真プリント出力店とを含むプリント注文情報をディスプレイに表示させるプリント注文情報表示部と、当該プリント注文情報を入力するプリント注文情報入力部と、ユーザに割り当てられたユーザ識別情報を取得するユーザ識別情報取得部とを有し、前記ユーザ情報管理部は、前記ユーザ識別情報と当該ユーザのプリント注文情報の履歴情報とを含むユーザ情報を格納するユーザ情報格納部と、前記写真プリント注文受付端末において取得されたユーザ識別情報と格納されたユーザ識別情報とを照合してユーザの識別を行うユーザ情報照合部とを有し、かつ、前記プリント注文情報表示部は、前記識別されたユーザの前記履歴情報に基づき、選択対象となる写真プリント出力店として、前記プリント出力の注文を行ったことがある前記写真プリント注文受付端末が配置されている前記写真プリント注文店と前記プリント出力をしたことがある前記写真プリント出力店とを画面上に一覧表示する点にある。
【０００９】
本構成のごとく、写真プリント注文受付端末を使用するユーザの識別を格納された（登録された）ユーザ識別情報に基づいて行うことで、従来のようにユーザの名前や住所などの入力操作を省略することができる。さらに、ユーザの履歴情報に基づいて選択対象となる写真プリント出力店を一覧表示するので、ユーザがこれまで利用した写真プリント店に関する情報を反映させて表示することができ選択が容易になり、入力操作の簡素化とともにユーザに適した写真プリント出力店の提示を行うことができる。なお、この履歴情報には、写真プリント注文受付端末を配置した写真プリント注文店、写真プリント出力店やプリント注文の内容などの情報が含まれる。
【００１０】
本発明に係る写真プリントシステムの第二特徴構成は、前記プリント注文情報表示部は前記識別されたユーザが注文受付・注文出力を行った店を履歴情報として前記ユーザ情報管理部から得て写真プリント出力店選択対象として一覧表示する点にある。
【００１１】
識別されたユーザの履歴情報に基づいて選択対象となる写真プリント出力店を画面上に一覧表示する好適な例として、識別されたユーザが注文受付・注文出力を行った（利用した）店を履歴情報としてユーザ情報管理部から得て、写真プリント出力店選択対象として一覧表示することが挙げられる。このように表示することで、写真プリント出力店の選択が容易化され、入力操作の簡素化を図ることができる。特に、ユーザが一定の地域内で活動している写真コミュニティの会員などの場合は、その会員の活動範囲から写真プリントの注文店や受取場所である出力店がある程度特定されることが多い。そして、写真プリント注文後その活動範囲内でいくつかのパターンで行動している会員の場合、本構成のごとく、注文受付・注文出力を行った店を履歴情報としてユーザ情報管理部から得て、写真プリント出力店選択対象として一覧表示することで、毎回同様の行動パターンをとる会員にとってさらに受取場所が選択し易くなるとともに、受取場所から写真プリント注文後の予定も立て易くなり使い勝手の良いものとなる。
【００１２】
本発明に係る写真プリントシステムの第三特徴構成は、前記識別されたユーザが写真プリント出力店を探索することが予想される探索予想地域を前記履歴情報に含まれる写真プリント店の位置情報に基づいて導出するユーザ情報処理部を備え、前記プリント注文情報表示部は、前記探索予想地域に位置する写真プリント店を写真プリント出力店選択対象として一覧表示する点にある。
【００１３】
上述したように、一定の地域内で活動している写真コミュニティの会員などが利用する写真プリントの注文店や出力店（受取場所）はある程度特定され、これまでのプリント注文情報からその写真プリント注文に係る活動範囲を予想することができる。本構成においては、これまで利用した写真プリント店の位置情報に基づいて、会員などが写真プリント出力店を探索することが予想される探索予想地域を導出する。そして、この探索予想地域内に位置する写真プリント店を写真プリント出力店選択対象として一覧表示することで、ユーザにとって利便性の高い写真プリントシステムを構成することができる。
【発明を実施するための最良の形態】
【００１４】
以下、本発明に係る写真プリントシステムの実施形態を図面に基づいて説明する。
〔全体構成〕
図１に、本発明に係る写真プリントシステムの全体構成を表すモデル図を示す。このシステムは、写真プリント注文店としてのプリントラボ店に配置され、ユーザからの写真プリントの注文を受け付ける写真プリント注文受付端末１と、写真プリント出力店としてのプリントラボ店３に配置され、ユーザが撮影した画像のプリント出力を行う写真プリント出力機３１と、写真プリント注文受付端末１と写真プリント出力機３１との間で伝送される写真プリントに関する情報、すなわち写真プリントサービスの内容に関する情報や写真プリント注文の内容に関する情報などの仲介を行う写真プリント管理サーバ２と、これらの情報を伝送可能に接続する通信ネットワーク４とから構成されている。なお、このシステムにおいては、写真プリント注文受付端末１と写真プリント出力機３１とは複数備えられており、これらは各地に点在するプリントラボ店に配置されている。そして、地域の写真コミュニティなどの会員には登録によりユーザ識別情報としてのユーザＩＤが与えられており、写真プリント注文受付端末を利用するときなどに使用する会員カードに、このユーザＩＤが記憶されている。
【００１５】
〔写真プリント管理サーバ〕
図２に示すように、写真プリント管理サーバ２は、情報伝送サーバ部２０Ａとアプリケーションサーバ部２０Ｂとを中核要素として構成されている。情報伝送サーバ部２０Ａは、インターネットなどの通信ネットワーク４を介して写真プリント注文受付端末１と、プリントラボ店３に配置された写真プリント出力機３１とデータ伝送可能に接続されており、伝送フォーマットとしてＨＴＭＬやＸＭＬを使用する場合はＷＷＷサーバ部として構成される。
【００１６】
この情報伝送サーバ部２０Ａとの間でＣＧＩなどを介して交換するアプリケーションサーバ部２０Ｂはユーザ情報管理部２０ｂを備え、このユーザ情報管理部２０ｂは、写真プリント注文受付端末１を使用するユーザに割り当てたユーザ識別情報と当該ユーザのプリント注文情報の履歴情報とを含むユーザ情報を格納するユーザ情報格納部２１と、写真プリント注文受付端末１において取得されたユーザ識別情報と格納されたユーザ識別情報とを照合してユーザの識別を行うユーザ情報照合部２２と、写真プリント注文受付端末１で表示される注文書式などの写真プリントサービス情報を格納し、これを写真プリント注文受付端末１に送信するプリントサービス情報処理部２３と、写真プリント注文受付端末１で作成されたプリント注文情報を写真プリント注文受付端末１から受信するとともに、このプリント注文情報をプリントラボ店（写真プリント出力店）に配置された写真プリント出力機３１に送信する注文情報処理部２４とを備えている。なお、ユーザ情報格納部２１には、ユーザの氏名や住所、電話番号などの個人情報やユーザが所属するグループの会員コードなどがユーザ識別情報（ユーザＩＤ）と関連づけられて格納されている。
【００１７】
〔写真プリント注文受付端末〕
図３に、写真プリント注文受付端末１の具体例の一例を示す。この写真プリント注文受付端末１は、メモリカードＭから画像データを取り込むメディアドライブ１１と、ＤＶＤ−ＲやＣＤ−ＲＯＭに保存された画像データを取り込む光ドライブ１２と、現像済みの写真フィルムＦから画像データを光電変換によって取り込むフィルムスキャナ１３とを備えている。また、正面にユーザがプリント注文情報などの入力操作を行うタッチパネル１４付きディスプレイ１５を備えるとともに、プリント注文受付証Ｒを出力する受付証プリンタ１６と、ユーザに割り当てられたユーザＩＤ（ユーザ識別情報）が記憶された会員カードＣｄ（ユーザ識別情報記憶媒体）から情報を取得するユーザ識別情報取得部としてのカードリーダ１７も備えている。なお、ユーザ識別情報記憶媒体として会員カード以外のものを用いても良い。さらにその筐体内部には、写真プリント注文受付端末１の種々の動作を制御するコントローラ１８が備えられている。
【００１８】
この写真プリント注文受付端末１のコントローラ１８は、ＣＰＵを中核部材として、写真プリント注文受付端末１の種々の動作を制御するための機能部をハードウエア又はソフトウエアあるいはその両方で構築している。図４に示すように、コントローラ１８は、メディアドライブ１１やタッチパネル１４付きのディスプレイ１５、カードリーダ１７などの外部機器とＩ／Ｏインターフェースを介して接続している。また、このコントローラ１８においてハードウエアやソフトウエアによって実現する主な機能としては、ユーザが提供するメモリカードＭからメディアドライブ１１を介して取り込まれた画像データや写真フィルムＦからフィルムスキャナ１３を介して取り込まれた画像データなどを前処理する画像前処理部１８Ｂ、前処理されてメモリ１８Ａに展開された画像データに種々の画像処理を施す画像処理部１８Ｃ、この写真プリント注文受付端末１で注文することができる写真プリントサービスに関する情報を管理しているプリントサービス情報管理部１８Ｄ、各種操作案内や各種操作ボタンなどを含むグラフィック操作画面の作成やそのようなグラフィック操作画面を通じてのユーザ操作入力（タッチパネル１４による）から制御コマンド等を生成するグラフィックユーザインターフェース（以下ＧＵＩと略称する）を構築するＧＵＩ部１８Ｅ、種々の画像情報を最終的にディスプレイ１５に表示させるためのビデオ信号を生成する画面制御部１８Ｆ、ユーザによって入力された写真プリントサービスのためのプリント注文データとその注文に関する撮影コマ画像の画像データとが組み合わされたプリント注文情報を作成する注文作成部１８Ｇ、会員カードＣｄなどから取得したユーザ識別情報の処理や写真プリント管理サーバ２から送信されたユーザ情報を一時的に格納し、必要な処理をするユーザ情報処理部１８Ｈ、写真プリントサービス情報やユーザ情報を写真プリント管理サーバ２から受信したり、注文作成部１８Ｇで作成されたプリント注文情報を写真プリント管理サーバ２に送信したりする通信部１８Ｉなどが挙げられる。なお、ＧＵＩ部１８Ｅは、プリント出力する画像と写真プリント出力店（プリントラボ店）とを含むプリント注文情報をディスプレイ１５に表示させるプリント注文情報表示部１８ｅを有している。
【００１９】
なお、本実施形態においては、写真プリントサービス情報は、定期的又は必要時に写真プリント管理サーバ２のプリントサービス情報処理部２３から通信ネットワーク４を介してプリントサービス情報管理部１８Ｄに伝送され、このプリントサービス情報管理部１８Ｄに格納される構成としているが、通信ネットワーク４を用いない構成を採用してもよい。
【００２０】
注文作成部１８Ｇは、プリント注文情報を作成して、写真プリント管理サーバ２の注文情報処理部２４に送信するとともに、ユーザに知らせるべき注文内容を示した受付証Ｒ（図示せず）を印字プリンタである受付証プリンタ１６を通じて出力する。この受付証Ｒには、注文番号、注文したプリント枚数や料金などが記載されており、この受付証Ｒをプリントラボ店３での出力プリント商品との引き替え券として機能させることもできる。
【００２１】
〔プリント注文情報〕
一例として図５に示されている伝送ファイル化（例えばＨＴＭＬ、ＸＬＭ、その他のフォーマットが利用できる）されたプリント注文情報には、写真プリント管理サーバ２によって管理されている、この写真プリント注文受付端末１を使用するユーザの固有ＩＤをルートとして順次発行される注文番号、この注文番号によって処理される写真プリントサービスに利用される撮影コマ画像の画像データ、注文データ部、プリント注文を行った写真プリント注文受付端末１が配置されたプリントラボ店を特定する名称（コード）、注文された写真プリントの出力店であるプリントラボ店３を特定する名称（コード）が含まれており、注文データ部には写真プリントサービス種別やそのサービス種別によって異なる必須の項目、例えば画像データ名、レイアウトコード、プリントサイズ、注文数量などが含まれる。
【００２２】
注文作成部１８Ｇから注文情報処理部２４に送信されたプリント注文情報は、当該プリント注文に係る写真プリントの出力店であるプリントラボ店３に配置された写真プリント出力機３１に送信されるとともに、ユーザ情報格納部２１において、そのユーザのプリント注文情報の履歴情報として格納される。図６には、このプリント注文情報の履歴情報の構造の一例が示されており、そのユーザがこれまでに写真プリント注文受付端末１で行ったプリント注文について１オーダ毎に、管理番号、注文日時、プリント枚数、写真プリントの注文店及び出力店であるプリントラボ店名（コード）などが格納されている。
【００２３】
〔写真プリントの注文受付の実施手順〕
次に、図７に本発明に係る写真プリントシステムにおける写真プリントの注文受付の手順をフローチャートとして示す。
【００２４】
まず、待機状態では、写真プリント注文受付端末１は待機画面を表示しており、会員（ユーザ）が写真プリントの注文を行う場合には、ディスプレイ１５のタッチパネル１４に触れることにより、図８で示されるようなユーザ識別情報入力画面５０が表示される（＃０１）。この画面には、各ユーザに割り当てられたユーザＩＤ（ユーザ識別情報）を入力するユーザＩＤ入力欄５１と、これらの欄に入力するためのキーボードを有した入力ボード５２などが表示されている。すなわち、本実施形態ではＧＵＩ部１８Ｅもユーザ識別情報取得部として機能する。ユーザはカードリーダ１７の挿入口に会員カードＣｄを挿入するか、この入力ボードを操作してユーザＩＤ入力欄５１にユーザＩＤを入力し「ＯＫ」ボタン５３を操作する。なお、ユーザ登録を行っておらず、ユーザＩＤがない場合は、「ＩＤなし」ボタン５４を操作する。この場合、図示しないユーザ登録画面が表示され、この登録画面においてユーザの名前や住所、電話番号などを登録することにより、写真プリント管理サーバ２を通じてユーザＩＤが発行される。
【００２５】
「ＯＫ」ボタン５３を操作することにより、取得したユーザＩＤ（ユーザ識別情報）が写真プリント注文受付端末１から写真プリント管理サーバ２に送信される。そして、プリント管理サーバ２のユーザ情報照合部２２は、取得したユーザ識別情報と、ユーザ情報格納部２１に格納されている登録情報とを照合し、それらが一致するユーザを識別し、そのユーザについてのプリント注文情報の履歴情報を含むユーザ情報を写真プリント注文受付端末１に送信する（＃０２）。送信されてきたユーザ情報は写真プリント注文受付端末１のユーザ情報処理部１８Ｈに一時的に取り込まれる（＃０３）。なお、送信されるユーザ情報に含まれる履歴情報には、そのユーザの写真プリントの注文店及び出力店に関する履歴情報が含まれている。
【００２６】
ユーザ情報の取り込みが完了すると「プリント注文スタート画面」（図示せず）が表示され（＃０４）、ユーザは画面に従って写真プリントの注文手続きを行う。その概略を説明すると、まず、「プリント注文スタート画面」の次に「メディア選択画面」（図示せず）が表示され、この画面で選択したメディアをメディアドライブ１１などにセットする。セットされたメディアからは撮影コマ画像の画像データが読み出され、図９に示すようなプリント画像選択画面６０が表示される（＃０５）。ユーザはこれらの撮影コマ画像６１の中からプリント出力する撮影コマ画像を、その下方にある選択ボタン６２を操作することにより選択する。また、選択された撮影コマ画像６１に対しては、その下方にある詳細設定ボタン６３を操作することにより表示される「プリント詳細設定入力画面」（図示せず）において、プリントサイズや注文数量の設定や所望の画像補正を実施する。そして、「ＯＫ」ボタン６４を操作することにより、プリント出力する撮影コマ画像の選択が完了する。
【００２７】
プリント画像選択画面６０において撮影コマ画像を選択し、「ＯＫ」ボタン６４を操作すると、図１０に例として示すように、選択した撮影コマ画像の写真プリント出力店（受取店）を選択するための写真プリント出力店選択画面７０が表示される（＃０６）。この写真プリント出力店選択画面７０は、プリント画像選択画面６０においてユーザが選択した画像の一部の縮小画像が表示される選択画像表示欄７１と、選択した画像の写真プリントを受け取る受領者名が表示された受領者名入力欄７２と、写真プリント出力店選択欄７４における写真プリント出力店の表示方法を選択する表示方法選択欄７３と、写真プリント出力店としてのプリントラボ店の名称とともに、プリントラボ店の住所やこれまでの選択回数（利用回数）、最近の選択日（利用日）が表示される写真プリント出力店選択欄７４とを有している。
【００２８】
ユーザは、まず、受領者名入力欄７１の「受領者名」を操作して表示される入力ボード（図示せず）で受領者名を入力する。なお、デフォルトでは受領者はユーザ本人に設定されている。次に、表示方法選択欄７３の「表示方法」を操作して表示されるメニュー（図示せず）の中から写真プリント出力店の表示方法を選択し、「ＯＫ」ボタン７３ｂを操作することにより、写真プリント出力店選択欄７４にプリントラボ店３の一覧を表示する。この一覧表示は、ユーザ情報処理部１８Ｈに一時的に取り込まれたユーザ情報の中の「プリント注文情報の履歴情報」に含まれる写真プリント店に関する情報に基づき行われる。例えば、図１０では、表示方法選択欄７３において写真プリント出力店の表示方法として「顧客の利用回数順（写真コミュニティにある全ての写真プリント注文受付端末、写真プリント出力機を配置した写真プリント店の利用回数順）」、すなわち、そのユーザが操作している写真プリント注文受付端末を含めた写真コミュニティにある全ての写真プリント店の中から、これまで写真プリント注文受付端末を操作した写真プリント店や他の写真プリント店で指定されて（注文受付端末を操作して）写真プリント出力店として選択された写真プリント店がその利用頻度に基づいて、頻度の多い順に写真プリント出力店選択対象として一覧表示される。例えば、写真プリント注文店としてのプリントラボ店３Ａに写真プリント注文受付端末１Ａ、１Ｂが配置されており、ユーザはこれまで写真プリント注文受付端末１Ａで写真プリント出力店（受取店）としてプリントラボ店３Ｂ、３Ｃを選択したことがある場合は、次に写真プリント注文受付端末１Ｂ（１Ａも同じ）を操作する時、写真プリント出力店選択対象として、プリントラボ店３Ａ、３Ｂ、３Ｃが写真プリント出力店選択対象として表示される。また、このユーザが写真コミュニティの中で初めて訪れたプリントラボ店３Ｄの写真プリント注文受付端末１Ｃを操作する時も、同様にプリントラボ店３Ａ、３Ｂ、３Ｃが選択対象となる。その後、プリントラボ店３Ｄからプリントラボ店３Ａ、３Ｂ、３Ｃのいずれかの店でプリント出力されていたのであれば、さらに次の写真プリント注文受付端末での操作入力においては、プリント出力店の選択対象としてプリントラボ店３Ａ、３Ｂ、３Ｃ、３Ｄが一覧表示されてユーザの指示選択を受けることになる。なお、このような写真プリント注文店と写真プリント出力店とを関係付ける処理は、ユーザ情報処理部１８Ｈで行う構成としているが、写真プリント注文受付端末からの命令に基づき写真プリント管理サーバ２で行うように構成してもよい。そして、写真プリント出力店選択欄７４において、所望の写真プリント出力店をその左方にある番号を操作することにより選択し、「ＯＫ」ボタン７５を操作することで写真プリント出力店の選択が完了する。
【００２９】
次に、ユーザが今回注文したプリント注文情報が一覧表示された「注文内容確認画面」（図示せず）が表示され（＃０７）、この表示内容に誤りがなければＯＫボタンを操作することで、最終的なプリント注文情報が注文作成部１８Ｇによって作成される（＃０８）。同時に、「受付証発行案内画面」（図示せず）が表示され、この画面には「受付証を発行中です。しばらくお待ちください。」とのメッセージが表示され、所定の時間が経過すると受付証プリンタ１６から受付証Ｒが出力される（＃０９）。注文作成部１８Ｇによって作成されたプリント注文情報は、写真プリント管理サーバ２の注文情報処理部２４に送信され、ユーザ情報格納部２１に格納されるとともに（＃１０）、選択したプリントラボ店に配置されている写真プリント出力機３１に送信され、写真プリント出力機３１は受信したプリント注文情報に基づいて選択された画像をプリント出力する（＃１１）。そして、写真プリント出力店選択画面７０の受領者名入力欄７２に記載された受領者が、そのプリント注文情報が送信された写真プリント出力機３１を配置しているプリントラボ店３を訪れることにより、プリント出力された商品を受け取ることができる。
【００３０】
〔別実施形態１〕
選択対象となる写真プリント出力店の一覧表示については、上述した実施形態に限られるものではなく、例えば次のように表示してもよい。
（１）これまで利用したことがある写真プリント店（プリントラボ店）の位置情報に基づいて、ユーザが写真プリント出力店を探索することが予想される探索予想地域をユーザ情報処理部１８Ｈにおいて導出する。なお、この導出は写真プリント管理サーバ２で行うように構成してもよい。その導出方法の一例を図１１に示すと、これまで利用したことがあるプリントラボ店の位置を３Ａ、３Ｂ、３Ｃとすると、その中心から所定の距離（例えば中心から各点までの距離の１．５倍など）の範囲を探索予想地域Ｚとして導出する。もちろん導出方法としてはこれに限られるわけではなく、同じ市区町村内を探索予想地域として導出するなど様々な方法を採用することができる。そして、この探索予想地域Ｚ内に位置するプリントラボ店（図１１では、プリントラボ店３Ａ、３Ｂ、３Ｃに加えプリントラボ店３Ｄ、３Ｅ、３Ｆ、３Ｇ）を写真プリント出力店選択画面７０の写真プリント出力店選択欄７４に一覧表示する。
（２）コミュニティに存在する全ての写真プリント出力店を基準にするのではなく、個毎の受付店（注文店）を基準として履歴情報を捉えても良い。つまり、写真プリント受付店から選択した出力店利用頻度を記憶し、その記憶した情報に基づいて、出力店選択対応を一覧表示させる形であっても良い。これにより、同じ受付店からの利用頻度に応じた写真プリント出力店を表示させることができる。
【００３１】
〔別実施形態２〕
上述した実施形態では、ユーザ情報管理部を写真プリント管理サーバに備えた構成としたが、写真プリント注文受付端末や写真プリント出力機に備えるような構成を採用してもよい。
【図面の簡単な説明】
【００３２】
【図１】本発明に係る写真プリントシステムのモデル図
【図２】写真プリント管理サーバの機能ブロック図
【図３】写真プリント注文受付端末の具体例の斜視図
【図４】写真プリント注文受付端末の機能ブロック図
【図５】プリント注文情報の構造説明図
【図６】プリント注文情報の履歴情報の説明図
【図７】写真プリントの注文受付の実施手順のフローチャート
【図８】ユーザ識別情報入力画面図
【図９】プリント画像選択画面図
【図１０】写真プリント出力店選択画面図
【図１１】探索予想地域を示す説明図
【符号の説明】
【００３３】
１    写真プリント注文受付端末
２    写真プリント管理サーバ
３    プリントラボ店
４    通信ネットワーク
１４  タッチパネル（プリント注文情報入力部）
１５  ディスプレイ
１７  ユーザ識別情報取得部
１８ｅ  プリント注文情報表示部
２０ｂ  ユーザ情報管理部
２１  ユーザ情報格納部
２２  ユーザ情報照合部
３１  写真プリント出力機
６０  プリント画像選択画面
７０  写真プリント出力店選択画面
【図１】
0004803427.tif 000002
【図２】
0004803427.tif 000003
【図３】
0004803427.tif 000004
【図４】
0004803427.tif 000005
【図５】
0004803427.tif 000006
【図６】
0004803427.tif 000007
【図７】
0004803427.tif 000008
【図８】
0004803427.tif 000009
【図９】
0004803427.tif 000010
【図１０】
0004803427.tif 000011
【図１１】
0004803427.tif 000012